(57)【特許請求の範囲】
【請求項１】
所望の形状に形成した水溶解性紙からなる裏貼り台紙と、該裏貼り台紙の表面に水溶性接着剤により裏面を貼着して列設した複数個のタイル片とから構成し、前記裏貼り台紙の裏面を施工用接着剤により構造物の施工面に貼着した後、該施工面に水を吹き付けて前記タイル片間の目地に露出する前記裏貼り台紙を溶断して目地調整を可能にした台紙裏貼りユニットタイル。
【請求項２】
前記裏貼り台紙は、短繊維を不織状に組成した水溶解性の面状体に成形したものであることを特徴とする請求項１記載の台紙裏貼りユニットタイル。
【請求項３】
前記施工用接着剤は、弾性接着剤又は湿式モルタルである請求項１記載の台紙裏貼りユニットタイル。
【請求項４】
請求項１記載の台紙裏貼りユニットタイルを構造物の施工面に施工用接着剤により貼着した後、前記ユニットタイルを含む前記施工面の所望部分に水を吹き付け、前記タイル片間の目地に露出する前記裏貼り台紙を溶断することにより目地調整を可能にしたタイル面の形成工法。
【発明の詳細な説明】
【技術分野】
【０００１】
本発明は、例えば建屋等の構造物の壁面や床面をタイル面に形成する工事を短期間で効率良く、また仕上がり良く行うことができる台紙裏張りユニットタイル及びタイル面の形成工法に関する。
【背景技術】
【０００２】
従来、例えば建屋のタイル壁面やタイル床面を形成する場合、作業効率を高め、作業日数を短縮する工法として、縦横に配列した複数枚のタイル片の表面に表貼り台紙を接着剤で貼着してタイル片を連結したユニットタイルを用い、現場で建屋の壁面にモルタル等の接着剤を塗布してユニットタイルを壁面に圧着した後、ユニットタイルを形成している表貼り台紙をタイル片の表面から引き剥がす作業を行っている。
【０００３】
また、列設した複数個のタイル片の裏面にネットを貼着してユニットタイルを構成し、裏貼りネット側からユニットタイルを壁面に貼着した後目地調整のために目地から露出する裏貼りネットを止むを得ずカッター等の刃物で切断する工法も行われている。また、目地調整が難しい場所ではタイル片毎に貼着することも行っている。
【先行技術文献】
【特許文献】
【０００４】
【特許文献１】見い出せず。
【発明の概要】
【発明が解決しようとする課題】
【０００５】
しかし、ユニットタイルを形成する表貼り台紙はクラフト紙のように水に濡れても破れない強い材質の紙を用いており、壁面或いは床面にユニットタイルを貼着した後タイル片の表面から手作業で表貼り台紙を剥すことを行うが、接着剤がタイル片の表面に付着したままの状態になる事態が多々生じている。
このため、多くのタイル片の表面から台紙の破片を剥し取る、タイル片の表面に残っている接着剤を水を掛けながらブラシで擦り取る等の追加の作業を行わなければならず、この作業に長時間を要することや大量の洗浄水を使用することから作業効率を妨げる問題、作業コストが嵩む問題がある。
【０００６】
また、タイル片の裏面に裏貼りネットを貼着して構成するユニットタイルでは、裏貼りネットは簡単に切断することができないため、目地調整作業の際に目地から露出する裏貼りネットをカッター等の刃物で止むを得ず切断する作業を行っている。このため、長い作業時間を要する、切断の際に壁面やその下の防水用下地材に傷を付けるといった問題がある。
【０００７】
更に、ユニットタイルを構成するタイル片から剥した表貼り台紙は産業廃棄物として処分しなければならず、処分する手間やコストを要するという問題がある。
【０００８】
本発明は上述した従来技術の諸欠点に鑑みなされたもので、ユニットタイルを構成する裏貼り台紙に水溶解性を有する素材を用い、施工面に貼着した後裏貼り台紙を水で溶断することにより、目地の調整を容易にでき、仕上がりの綺麗なタイル面形成工事を短期間で、効率的に、経済的に行うことができるし、大量の洗浄水を使用しないのでコストも節減できる台紙裏貼りユニットタイル及びタイル面の形成工法を提供することを目的とする。
【課題を解決するための手段】
【０００９】
上述した課題を解決するための本発明を構成する手段は、所望の形状に形成した水溶解性紙からなる裏貼り台紙と、該裏貼り台紙の表面に水溶性接着剤により裏面を貼着して列設した複数個のタイル片とから構成し、前記裏貼り台紙の裏面を施工用接着剤により構造物の施工面に貼着した後、該施工面に水を吹き付けて前記タイル片間の目地に露出する前記裏貼り台紙を溶断して目地調整を可能にしたことにある。
【００１０】
そして、前記裏貼り台紙は、短繊維を不織状に組成した水溶解性の面状体に成形したものであるとよい。
【００１１】
また、前記施工用接着剤は、弾性接着剤又は湿式モルタルを用いるとよい。
【００１２】
更に、請求項４に係る発明を構成する手段は、請求項１記載の台紙裏貼りユニットタイルを構造物の施工面に施工用接着剤により貼着した後、前記ユニットタイルを含む前記施工面に水を吹き付けることにより前記タイル片間の目地に露出する前記裏貼り台紙を溶断することにより目地調整を可能にしたことにある。
【発明の効果】
【００１３】
本発明は叙上の如く構成したから、下記の諸効果を奏する。
（１）水溶解性の紙で形成した裏貼り台紙に水溶性接着剤により裏面を貼着して複数個のタイル片を列設してユニットタイルを構成し、壁面や床面等の施工面にユニットタイルを施工用接着剤で貼着した後施工面に水を掛けることにより裏貼り台紙を速やか溶断することで、タイル面の目地調整作業を効率的に行うことが出来るので、仕上がりの綺麗なタイル面に成形できる。
（２）ユニットタイルを構成するタイル片から台紙を剥し取る作業が不要なので作業効率に優れているし、剥し取った台紙を廃棄物として処分する手間が無いし、無駄なごみを出さない。
（３）従来技術とは異なってタイル片の表面に台紙を貼着しないので、接着剤の滓が残ることも無く仕上がりの綺麗なタイル面に形成できる。
（４）ユニットタイルの目地に露出する裏貼り台紙を切断する手段は水だけで、カッター等の刃物は一切用いないから、タイル片や施工面を傷つけることが無い。
（５）裏貼り台紙は水溶解性を有しており、少量の水で台紙を溶断できるし、タイル表面を洗浄する必要も無いから、水の使用量を大幅に節減することができるし、人件費も大幅に節減することができる。
【図面の簡単な説明】
【００１４】
【図１】図１乃至図３は本発明の第１の実施の形態に係り、図１はユニットタイルの構成斜視図である。
【図２】ユニットタイルの部分断面図である。
【図３】台紙を溶解したユニットタイルの部分断面図である。
【図４】第２の実施の形態に係るユニットタイルの背面図である。
【発明を実施するための形態】
【００１５】
以下、本発明の第１の実施の形態を図１乃至図３に基き詳述する。図において、１はユニットタイルを示す。２は該ユニットタイル１を構成する面状の裏貼り台紙で、該裏貼り台紙２は例えば再生紙のように短繊維を不織状態で固めて０，３〜０，５ｍｍの厚さに成形したものからなり、乾燥した状態で１２〜１６個のタイル片を支持する強度性があればよい。この裏貼り台紙２は水による溶解性を有するが、非浸透性接着剤、例えば粘性のある化学系接着剤では溶解しない性質を有するものである。
【００１６】
３は前記裏貼り台紙２に貼着することによりユニットタイル１を構成する複数個のタイル片を示す。該各タイル片３は裏貼り台紙２の表面２Ａに例えば澱粉糊のような水溶性接着剤Ａ１を塗布し、タイル片３の裏面３Ａを圧着して貼着してあり、ユニットタイル１は一例として縦４列、横４列、計１６枚のタイル片３、３、・・・を目地４、４、・・を存して列設して構成してある。
【００１７】
上述の構成からなるユニットタイル１は予め工場で製作し、作業現場に運搬する。次に、建屋の壁面Ｗの下地清掃を行い、基準糸を張ってタイル割付を行う。施工面に施工用接着剤としての弾性接着剤Ａ２を塗布し、ユニットタイル１を貼着する。弾性接着剤Ａ２としては、例えばポリ塩化ビニル、ポリエチレンテレフタレート、エポキシ系の接着剤を用いるとよい。この接着剤Ａ２は粘性があり裏貼り台紙２に浸透しないので台紙２を溶解しないし、壁面Ｗのような縦面に塗布した場合に垂れることがなく、また耐屈曲性に富むのでユニットタイル１を貼着する作業を円滑に行うことができる。
【００１８】
上記タイル片３の貼り付け作業中において、タイル片３が傾いている様な場合は、水を噴霧するか水を含ませたスポンジで裏貼り台紙２を部分的に濡らすことでタイル片３の傾きを容易に調整できるから、目地調整を行うことで目地４を綺麗に形成することができる。
【００１９】
なお、ユニットタイル１を壁面Ｗに貼着するための施工用接着剤Ａ２は、従来から使用している湿式モルタルを用いてもよい。
【００２０】
次に、第２の実施の形態を図４に基づき詳述する。図において、１１はユニットタイルを示す。１２は該ユニットタイル１１を構成する裏貼り台紙で、該裏貼り台紙１２は第１の実施の形態の裏貼り台紙２を矢来状に成形することにより複数の構成片１２Ａ、１２Ａ、・・・を縦横に展開した形状からなる。
【００２１】
裏貼り台紙１２は各構成片１２Ａがいずれかのタイル片１３と接するように成形してあり、各構成片１２Ａに水溶性接着剤Ａ１を塗布してタイル片１３を貼着し、目地１４を存して列設することにより、ユニットタイル１１を構成している。
【００２２】
上述の如く構成したユニットタイル１１を壁面Ｗに施工用接着剤Ａ２によって貼着する施工方法は第１の実施の形態と同じであるが、目地１４から露出する構成片１２Ａは最小限であるから、構成片１２Ａを溶断する作業を速やかに行うことができ、仕上がりも綺麗なタイル面に成形できる。
【００２３】
なお、本発明において裏貼り台紙の形状は矢来状や格子状に限定するものではなく、要は全てのタイル片１３が裏貼り台紙１２に接触して貼着できる形状であればよい。
【００２４】
また、裏貼り台紙２は二枚重ねに貼着して使用してもよい。こうすることで重いタイル片３を支える場合や、目地が広いユニットタイルを形成するのに好適である。
【符号の説明】
【００２５】
１、１１    ユニットタイル
２、１２    裏貼り台紙
２Ａ、１２Ａ    表面
３、１３    タイル片
３Ａ、１３Ａ    裏面
４、１４        目地
【図１】
0006551904.tif 000002
【図２】
0006551904.tif 000003
【図３】
0006551904.tif 000004
【図４】
0006551904.tif 000005